(57)【要約】【課題】レシート用紙の使用量を削減するとともに決済を迅速に処理することが可能となる。【解決手段】預／現計キーにより決済が宣言されると客面表示器４３にレシート出力選択情報６０を表示させる。前記レシート出力選択情報６０が未選択の場合には、に特定レシートデータを生成するとともに、この特定レシートデータをプリンタ４５によってレシート用紙に印字し、特定レシートを発行する。【選択図】      図８
2013015962.tif 000002
【特許請求の範囲】
【請求項１】
商品の販売取引の商品データを入力する入力手段と、この入力手段により入力された前記商品データの１商品販売取引の決済を宣言する締め手段と、この締め手段により決済の締めが宣言された１商品販売取引の商品販売データの処理をする商品販売データ処理装置において、
前記締め手段により決済が宣言されると客面表示器にレシート出力選択情報を表示させるレシート出力選択情報表示手段と、
このレシート出力選択情報表示手段により表示された前記レシート出力選択情報を選択するレシート出力情報選択手段と、
このレシート出力情報選択手段により前記レシート出力選択情報を選択したか否かを判定する判定手段と、
この判定手段による前記レシート出力選択情報が未選択と判定されると特定レシートデータを生成する特定レシートデータ生成手段と、
この特定レシートデータ生成手段により生成された前記特定レシートデータをプリンタによりレシート用紙に印字し特定レシートを発行するレシート印字発行手段と、
を備えたことを特徴とする商品販売データ処理装置。
【請求項２】
前記レシート出力情報選択手段は、レシート不要、レシート発行および２次元コードレシート発行機能を有することを特徴とする請求項１記載の商品販売データ処理装置。
【請求項３】
商品の販売取引の商品データを入力する入力手段と、この入力手段により入力された前記商品データの１商品販売取引の決済を宣言する締め手段と、この締め手段により決済の締めが宣言された１商品販売取引の商品販売データのレシートデータを生成するレシートデータ生成手段と、このレシートデータ生成手段により生成されたレシートデータをプリンタによりレシート用紙に印字するレシート印字発行手段と、を備えた商品販売データ処理装置において、
前記締め手段により決済が宣言されると前記客面表示器にレシート不要、レシート発行および２次元コードレシート発行のレシート出力選択情報を表示するレシート出力選択情報表示手段と、
このレシート出力選択情報表示手段により表示された前記レシート出力選択情報のいずれか１つを選択するレシート出力情報選択手段と、
このレシート出力情報選択手段により前記レシート出力選択情報が選択されたか否かを判定する判定手段と、
この判定手段の判定によりレシート発行が選択された場合には、テキストレシートデータを生成するテキストレシートデータ生成手段と、
前記判定手段の判定により２次元コードレシート発行が選択された場合には、２次元コードレシートデータを生成する２次元コードレシートデータ生成手段と、
前記レシート出力情報選択手段により前記レシート出力選択情報が未選択の場合には、特定レシートデータを生成する特定レシートデータ生成手段と、
を備えたことを特徴とする商品販売データ処理装置。
【請求項４】
商品の販売取引の商品データを入力する入力手段と、この入力手段により入力された前記商品データの１商品販売取引の決済を宣言する締め手段と、この締め手段により決済の締めが宣言された１商品販売取引のレシートデータを生成するレシートデータ生成手段と、このレシートデータ生成手段により生成されたレシートデータをプリンタによりレシート用紙に印字するレシート印字発行手段と、を備えた商品販売データ処理装置において、
前記入力手段により入力された１商品販売取引の商品データの販売点数を記憶する販売点数記憶手段と、
前記締め手段により決済が宣言されると前記客面表示器にレシート出力選択情報を表示するレシート出力選択情報表示手段と、
このレシート出力選択情報表示手段により表示された前記レシート出力選択情報を選択するレシート出力情報選択手段と、
このレシート出力情報選択手段により前記レシート出力選択情報が選択されたか否かを判定する判定手段と、
この判定手段による前記レシート出力選択情報が未選択と判定されると前記販売点数記憶手段に記憶されている販売点数が予め設定された設定値を超えたかを判定する販売点数判定手段と、
この販売点数判定手段により当該販売商品の販売点数が前記設定値を超えたと判定すると、２次元コードレシートデータを生成する２次元コードレシートデータ生成手段と、
前記点数判定手段により当該販売商品の点数が前記設定値を超えていないと判定すると、特定レシートデータを生成する特定レシートデータ生成手段と、
を備えたことを特徴とする商品販売データ処理装置。
【発明の詳細な説明】
【技術分野】
【０００１】
本発明の実施形態は、ＰＯＳ（Point Of Sales：販売時点情報管理）端末等の商品販売データ処理装置に関する。
【背景技術】
【０００２】
従来、店舗に設置されたＰＯＳ端末等の商品販売データ処理装置は、商品販売データの入力手段を介して商品コード、販売点数等のデータが入力され、その入力されたデータに基づいて販売点数、販売金額および小計金額等の商品販売データが表示器に表示される。そして、締め手段により１商品取引における販売商品の商品名、単価、販売点数、小計金額、合計金額、取引日時、担当者コード、取引番号等を店名とともに印字したレシートを発行するレシート印字発行する機能を有する。
【０００３】
このレシート印字発行機能により発行されたレシートは、通常、買物客に渡される。買物客は、受け取ったレシートをみて内容に間違いがないか、また、決済情報などを確認したりすることができる。
【０００４】
ところが、レシートを保管する必要性がないと感じた場合、買物客は、その場でレシートを破棄してしまうことが多い。
【０００５】
そこで、レシート印字にかかる諸経費を削減するとともに、紙資源の環境負荷を低減するためにもレシート発行の削減が望まれている。
【０００６】
たとえば、従来技術としては、レシート発行キーを買物客に対向して設け、買物客がレシート発行キーを操作した場合にのみレシートが印字発行する技術が開示されている（たとえば、特許文献１参照）。
【先行技術文献】
【特許文献】
【０００７】
【特許文献１】特開平８−２２１６６０号公報
【発明の概要】
【発明が解決しようとする課題】
【０００８】
しかしながら、従来技術は、買物客がレシート発行方法を確認して操作する必要があるために買物客１人当たりの決済時間が延びてしまうこともある。この決済時間が延びることによってレジに並んでいる他の買物客の待ち時間も延びて決済処理の効率を悪くすることになる。
【０００９】
本発明の実施形態は、レシートの消費量を少なくすることが可能であるとともに、レシート発行を迅速に行うことが可能となる商品販売データ処理装置を提供しようとするものである。
【課題を解決するための手段】
【００１０】
本発明の実施形態は、商品の販売取引の商品データを入力する入力手段と、この入力手段により入力された前記商品データの１商品販売取引の決済を宣言する締め手段と、この締め手段により決済の締めが宣言された１商品販売取引の商品販売データ処理をする商品販売データ処理装置において、前記締め手段により決済が宣言されると前記客面表示器にレシート出力選択情報を表示させるレシート出力選択情報表示手段と、このレシート出力選択情報表示手段により表示された前記レシート出力選択情報を選択するレシート出力情報選択手段と、このレシート出力情報選択手段により前記レシート出力選択情報を選択したか否かを判定する判定手段と、この判定手段による前記レシート出力選択情報が未選択と判定されると特定レシートデータを生成する特定レシートデータ生成手段と、この特定レシートデータ生成手段により生成された特定レシートデータをプリンタによりレシート用紙に印字し特定レシートを発行するレシート印字発行手段と、を備えたことを特徴とする。
【図面の簡単な説明】
【００１１】
【図１】ＰＯＳシステムの構成を示す模式図。
【図２】ＰＯＳ端末の主要部構成を示すブロック図。
【図３】ＰＯＳ端末のＲＡＭに形成される主要なメモリエリアを示す模式図。
【図４】ＰＯＳ端末の客面表示器に表示されるレシート出力選択情報の一例を示す平面図。
【図５】ＰＯＳ端末で印字発行されるレシートの一例を示す平面図。
【図６】ＰＯＳ端末で印字発行される２次元コードを含むレシートの一例を示す平面図。
【図７】ＰＯＳ端末で印字発行される特定レシートの一例を示す平面図。
【図８】ＰＯＳ端末のＣＰＵが実行する商品販売データ処理のステップを説明するフローチャート。
【図９】第２の実施形態にかかるＰＯＳ端末のＣＰＵが実行する商品販売データ処理のステップを説明するフローチャート。
【発明を実施するための形態】
【００１２】
（第１の実施形態）
以下、本発明の実施形態について図面を用いて説明する。
【００１３】
図１は、本発明の実施形態におけるＰＯＳシステム１１の主要部構成を示す模式図である。
【００１４】
図１に示すように、ＰＯＳシステム１１は、店舗のレジカウンタに設置された複数台のＰＯＳ端末１２と、店舗のバックヤードに設置されたストアコンピュータ１３とが通信回線であるＬＡＮ（Local Area Network）１４を介して接続されている。
【００１５】
ストアコンピュータ１３には、商品マスタファイル１５とレシートデータファイル１６とが設けられている。
【００１６】
前記商品マスタファイル１５には、商品コード、商品名、単価等の項目情報からなる商品情報が店で販売されている商品数分、蓄積保存されている。
【００１７】
前記レシートデータファイル１６には、レシートデータＭ２（図３参照）が蓄積保存されている。
【００１８】
図２は、本実施形態におけるＰＯＳ端末１２のハードウェアの主要部構成を示すブロック図である。
【００１９】
ＰＯＳ端末１２は、制御部本体としてＣＰＵ（Central Processing Unit）３１を備えている。
【００２０】
また、このＣＰＵ３１が制御する主記憶部としてプログラムデータ等の固定的データを予め格納したＲＯＭ（Read Only Memory）３２、商品の販売データを記憶するための各種メモリエリアの記憶部を形成したＲＡＭ（Random Access Memory）３３とを備えている。
【００２１】
前記ＲＡＭ３３は、特に、図３に示すように、取引明細データＭ１、レシートデータＭ２、販売点数Ｎ１および販売点数の設定値Ｎ２等のメモリエリアが形成されている。
【００２２】
取引明細データＭ１は、１商品販売取引として商品販売データ処理の取引情報データの（レシートコード、店コード、端末（ＴＭ）番号、担当者コード、取引番号、取引日時等）と、商品明細データの（商品コード、商品名、単価、販売点数、販売金額等）と、決済明細データの（小計金額、税額、合計金額、預かり金額、釣銭額等）を一時的に記憶するエリアである。
【００２３】
なお、レシートコードは、店舗を識別する店コードと、ＰＯＳ端末１２を識別する端末番号および取引番号等の組み合わせたコードを記憶する。なお、取引番号は、１商品販売取引ごとにＣＰＵ３１によってインクリメントされる。
【００２４】
レシートデータＭ２は、１商品販売取引としての取引情報データ、商品明細データおよび決済明細データに基づいて生成したレシートデータを一時的に記憶するエリアである。このエリアは、レシートデータ記憶手段として構成する
販売点数Ｎ１は、１商品販売取引としての商品販売データ処理による商品の入力された販売点数をカウントするエリアである。このエリアは販売点数記憶手段として構成する。
【００２５】
また、販売点数Ｎ１は、販売点数計数手段として機能する。
【００２６】
設定値Ｎ２は、レシート２０に２次元コード２１を印字するか否かを判定するための販売点数の設定値を格納するエリアである。
【００２７】
また、ＰＯＳ端末１２は、現在の日時を計時する時計部３４、前記ＬＡＮ１４を介して外部機器とのデータ通信を制御する通信インターフェース（Ｉ／Ｆ）３５、「登録」、「点検」、「精算」、「設定」等の各種業務モードを選択するためのモードスイッチ３６から選択信号を入力するとともに現金等を収容するためのドロワを自動開放させるドロワ装置３７へ駆動信号を出力するＩ／Ｏポート３８、商品販売取引に関する商品データを入力する入力手段として置数キー、ＰＬＵキー、小計キー、締め手段としての預／現計キー等が配設されたキーボード３９から信号を取り込むキーボードコントローラ４０、タッチパネル付ディスプレイの前面表示器４１に入力手段により入力された商品の商品名、単価や、締め手段により販売商品の決済の締めが宣言された１商品販売取引の合計金額、釣銭額などの各種情報を表示させる第１表示コントローラ４２、タッチパネル付ディスプレイの客面表示器４３にレシート出力選択情報６０（図４参照）、客向けの各種情報を表示させ第２表示コントローラ４４、プリンタ４５によるレシート用紙へ印字とそれを制御するプリンタコントロール４６、バーコードを光学的に読み込み、商品販売データを入力する入力手段として機能するスキャナ４７を接続して情報を取り込むスキャナインターフェース（Ｉ／Ｆ）４８、カードリーダ４９で読み取られたカードデータを読み取りデータの入力を行うカードリーダコントローラ５０を備えている。
【００２８】
前記客面表示器４３には、図４に示すように、レシート出力選択情報６０を表示するようになっている。
【００２９】
このレシート出力選択情報６０には、レシート不要Ａ、レシート発行Ｂおよび２次元コードレシート発行Ｃの各タッチボタンが表示されている。
【００３０】
たとえば、買物客がレシートを必要ない場合には、レシート不要Ａがタッチ操作されると、レシートの発行は行われないで決済処理が終了されるようになっている。
【００３１】
そして、前記ＣＰＵ３１と、ＲＯＭ３２、ＲＡＭ３３、時計部３４、通信インターフェース（Ｉ／Ｆ）３５、Ｉ／Ｏポート３８、キーボードコントローラ４０、第１表示コントローラ４２、第２表示コントローラ４４、プリンタコントローラ４６、スキャナインターフェース（Ｉ／Ｆ）４８、カードリーダコントローラ５０の各部とは、アドレスバス、データバスなどのバスライン５１により電気的に接続している。
【００３２】
図５は、本実施形態のＰＯＳ端末１２のプリンタ４５が印字発行するレシート２４である。このレシート２４は、前記レシート出力選択情報６０のレシート発行Ｂがタッチ操作されると、図５に示すように、通常のテキストデータをプリンタ４５で印字発行する。
【００３３】
図６は、本実施形態のＰＯＳ端末１２のプリンタ４５が印字発行するレシート２０である。このレシート２０は、商品明細データを２次元コード２１にコード変換してプリンタ４５で印字する。
【００３４】
なお、１商品販売取引における販売商品の販売点数Ｎ１が予め設定した設定値Ｎ２を超えた場合に、決済詳細データをテキストデータで印字するとともに、商品明細データを２次元コード２１にコード変換してプリンタ４５で印字するようにしてもよい。
【００３５】
図７は、本実施形態のＰＯＳ端末１２のプリンタ４５が印字発行する特定レシート２３である。この特定レシート２３は、店舗が独自に作成した種々のレアウトに基づいて提供するレシートである。
【００３６】
図８は、各ＰＯＳ端末１６のＣＰＵ３１が実行する１商品販売取引の商品販売データ処理を行うステップを示すフローチャートである。この商品販売データ処理は、モードスイッチ３６が登録モードにおいて実行される。
【００３７】
商品販売データ処理としてまず、販売商品について入力手段であるスキャナ４７による商品コードのスキャニング入力やキーボード３９の置数キーによる商品コードの入力および、キーボード３９の置数キーによる販売点数Ｎ１の入力による商品販売データ処理（ステップＳＴ１１）が行われる。
【００３８】
すなわち、ＣＰＵ３１は、たとえば、スキャナ４７によって入力された商品コードに対応して商品名、単価等の商品情報をストアコンピュータ１３の商品マスタファイル１５から読み出す。そして、前記商品情報に基づいて商品明細データ（商品コード、商品名、単価、販売点数、販売金額等）および取引情報データ（レシートコード、店コード、端末番号、担当者コード、取引番号等）を生成して取引明細データＭ１に格納する。さらに、商品名、単価、販売点数および販売金額の各データを前面表示器４１および客面表示器４３に表示させる。
【００３９】
次に、１商品販売取引として商品販売データの決済の締め操作が宣言されるのを待機する（ステップＳＴ１２）。
【００４０】
そして、商品販売データの締め操作が宣言されない場合には（ステップＳＴ１２のＮＯ）、ステップＳＴ１１に戻る。
【００４１】
そして、ＣＰＵ３１は、締め操作されるまでの間、販売商品の商品データが入力されるごとに商品販売データ処理を繰り返し、商品販売データ処理を行った商品の商品コード、商品名、単価、販売点数、販売金額等からなる商品明細データを取引明細データＭ１に入力順に格納するとともに商品名、単価、販売点数、販売金額等を前面表示器４１と客面表示器４３へ表示させる。さらに、商品明細データをレシートデータＭ２に格納する。
【００４２】
ＣＰＵ３１は、預／現計キー等の締め手段により締めが宣言されると（ステップＳＴ１２のＹＥＳ）、ＣＰＵ３１は、締め処理を実行する（ステップＳＴ１３）。
【００４３】
この締め処理は、預かり金額から合計金額を減算して釣銭額を算出する。そして、この釣銭額を前面表示器４１および客面表示器４３に表示させる。その後、１商品販売取引としての小計金額、税額、合計金額、預かり金額、釣銭額等からなる決済明細データを取引明細データＭ１に格納するとともに、レシートデータを生成し、レシートデータＭ２に格納する。
【００４４】
また、ＣＰＵ３１は、客面表示器４３に第２表示コントローラ４４を介して客面表示器４３にレシート出力選択情報６０（図４参照）としてレシート不要Ａ、レシート発行Ｂ、２次元コードレシート発行Ｃの各ボタンを表示出力させる。同時に、ＣＰＵ３１内蔵のタイマに設定されているタイムアウト値の計時動作をタイマスタートさせる（ステップＳＴ１４）。
【００４５】
図４に示す、レシート出力選択情報６０のレシート不要Ａのボタンがタッチ操作された場合には（ステップＳＴ１５）、レシートを発行せずに商品販売データ処理を終了する。
【００４６】
一方、レシート不要Ａのボタンがタッチ操作されない場合には（ステップＳＴ１５のＮＯ）、レシート発行Ｂのボタンがタッチ操作されたかを判定する（ステップＳＴ１６）。
【００４７】
レシート発行Ｂのボタンがタッチ操作された場合には（ステップＳＴ１６のＹＥＳ）、テキスト印字による通常のレシート２４（図５参照）のレシートデータを生成する処理を行う（ステップＳＴ１７）。そして、生成されたレシートデータをプリンタ４５によってレシート用紙に、テキスト印字した通常のレシート２４を発行する（ステップＳＴ１８）。
【００４８】
また、レシート発行Ｂのボタンがタッチ操作されなかった場合には（ステップＳＴ１６のＮＯ）、２次元コードレシート発行ボタンＣがタッチ操作されたかを判定する（ステップＳＴ１９）。
【００４９】
２次元コードレシート発行Ｃのボタンがタッチ操作された場合には（ステップＳＴ１９のＹＥＳ）、商品明細データをコード変換することにより２次元コードを含むレシートデータを生成する（ステップＳＴ２０）。そして、生成したレシートデータをプリンタ４５によってレシート用紙に印字し、２次元コードレシート２０（図６参照）を発行する（ステップＳＴ２１）。
【００５０】
また、２次元コードレシート発行Ｃのボタンがタッチ操作されなかった場合（ステップＳＴ１９のＮＯ）、すなわち、レシート出力選択情報に表示されたレシート不要Ａ、レシート発行Ｂ、２次元コードレシート発行Ｃの各ボタンを未選択の状態において（ステップＳＴ２２のＹＥＳ）、ＣＰＵ３１内蔵のタイマの設定したタイムアウト値がタイムアウトになった場合には（ステップＳＴ２３のＹＥＳ）、特定のレシートデータを生成する（ステップＳＴ２４）。そして、生成された特定のレシートデータをプリンタ４５によってレシート用紙に印字し、店舗において採用している特定レシート２３（図７参照）を発行する（ステップＳＴ２５）。
【００５１】
このように、第１の実施形態のＰＯＳ端末１２によれば、レシート出力選択情報６０に表示されたレシート不要Ａ、レシート発行Ｂ、２次元コードレシート発行Ｃの各ボタンを未選択の状態においても、店舗において採用している特定レシート２３（図７参照）を発行することが可能となる。
【００５２】
したがって、買物客がレシート出力選択情報６０のレシート発行の選択を躊躇した場合においても、特定レシート２３を発行することによって決済処理が迅速に行うことが可能となる。なお、特定レシート２３に代えて通常レシート２４を発行してもよい。
【００５３】
このような実施形態にすることにより、レシート出力選択情報６０のレシート不要Ａや２次元コードレシートＣを選択することによりレシート用紙の使用量を削減することが可能となる。
【００５４】
また、第１の実施形態のＰＯＳ端末によれば、レシート出力選択情報６０からレシート不要Ａ、レシート発行Ｂおよび２次元コードレシート発行Ｃのいずれか１つを選択することが可能なので、買物客の要望に応じたレシート出力を簡単に選択することができる。
【００５５】
（第２の実施形態）
図９は、各ＰＯＳ端末１６のＣＰＵ３１が実行する１商品販売取引の商品販売データ処理を行うステップを示すフローチャートである。図８において、すでに説明したステップについては同じ符号を付けてここでの説明を省略する。
【００５６】
ＣＰＵ３１内蔵のタイマの設定したタイムアウト値がタイムアウトになった場合には（ステップＳＴ２３のＹＥＳ）、前記ＲＡＭ３３に、記憶されている当該販売点数Ｎ１と設定値Ｎ２とを比較して販売点数Ｎ１が設定値Ｎ２を超えているかを判定する（ステップＳＴ３１）。
【００５７】
そして、判定の結果、商品の販売点数Ｎ１が設定値Ｎ２を超えていた場合には（ステップＳＴ３１のＹＥＳ）、ＣＰＵ３１は、図６に示すように、商品明細データがコード変換され２次元コード２１を含むレシートデータを生成する（ステップＳＴ２０）。
【００５８】
ＣＰＵ３１は、生成したレシートデータをプリンタ４５によりレシート用紙に印字し２次元コードレシート２０を発行させる（ステップＳＴ２１）。
【００５９】
一方、ＣＰＵ３１は、ステップＳＴ３１の商品の販売点数Ｎ１と設定値Ｎ２とを比較して販売点数Ｎ１が設定値Ｎ２を超えない場合には（ステップＳＴ３１のＮＯ）、ＣＰＵ３１は、レシートデータＭ２に格納されているレシートデータをプリンタ４５に出力して図７の特定レシート２３を印字し発行させる（ステップＳＴ２５）。
【００６０】
なお、ＣＰＵ３１は、１商品販売取引の商品販売データ処理を実行する毎に、レシートデータＭ２に格納されているレシートコード、店コード、端末番号、担当者コード、取引番号、商品コード、商品名、単価、販売点数、販売金額、小計金額、税額、合計金額、預かり金額、釣銭額等のレシートデータがＬＡＮ１４を介して接続されたストアコンピュータ１３のレシートデータファイル１６に格納保存させる。
【００６１】
本実施形態によれば、２次元コード２１が印字されたレシート２０の商品明細データは、買物客によって携帯電話に搭載されたＣＣＤカメラ等によって読み取って、当該決商品明細データを確認することにより決済明細データとして利用することが可能となる。
【００６２】
本発明の実施の形態では、ＰＯＳ端末１２により２次元コードのレシート２０を発行することにより、レシート用紙の使用量を削減することが可能になる。
【００６３】
また、本実施の形態では、ＰＯＳ端末１２で実現するように説明をしたがこれに限定することなく、セルフチェックアウト装置に利用することも可能となる。
【００６４】
また、本実施の形態では、コードシンボルを２次元コードに設定したが２次元コードに限ることなく他のコードシンボルであってもよい。
【００６５】
なお、この実施形態に限定されるものではなく、実施の段階ではその要旨を逸脱しない範囲で構成要素を変形して具体化できる。
【００６６】
２次元コード２１は、携帯電話のコード読取機能を使用してテキストデータにより確認することも可能となる。また、ＰＯＳ端末１２にコード読取機能を取り付け、コード読取機能で２次元コードを確認してもよい。
【００６７】
以上説明したように、前記実施形態に限定されるものではなく、実施の段階ではその趣旨を逸脱しない範囲で種々に変形することが可能であるのは勿論である。
【符号の説明】
【００６８】
１１…ＰＯＳシステム、１２…ＰＯＳ端末、１３…ストアコンピュータ、１５…商品マスタファイル、１６…レシートデータファイル、２０…２次元コードレシート、２３…特定レシート、２４…通常レシート、３１…ＣＰＵ、４０…キーボード、４５…プリンタ、４７…スキャナ、６０…レシート出力選択情報画面。
【図１】
2013015962.tif 000003
【図２】
2013015962.tif 000004
【図３】
2013015962.tif 000005
【図４】
2013015962.tif 000006
【図５】
2013015962.tif 000007
【図６】
2013015962.tif 000008
【図７】
2013015962.tif 000009
【図８】
2013015962.tif 000010
【図９】
2013015962.tif 000011